(57)【要約】【課題】  ストロボ撮影時における指かかりを検出し、撮影ミスを防止することを目的とする。【解決手段】  定常光輝度とプリ発光輝度を比較し、差が所定値以下の場合、ＡＦ情報を参照し、指かかりを検出する。【選択図】        図２
2006157405.tif 000002
【特許請求の範囲】
【請求項１】
撮像素子から被写体の光学像を取り込む撮像手段と、画像を表示するための画像表示手段と、前記撮像素子の出力信号からの信号を処理し、前記画像表示手段に表示可能な信号に処理する信号処理手段と、前記被写体の輝度を測定する測光手段と、前記被写体との距離情報を測定する測距手段と、ストロボの発光時間を制御するストロボ発光手段と、記録または再生のモードを選択可能なモード選択手段とを備えた撮像装置において、ストロボ発光部が、撮影者の指等の物体で覆われているかを検出する検出手段を有する事を特徴とする撮像装置。
【請求項２】
請求項１に記載の撮像装置において、前記ストロボ発光手段が、撮影時のストロボ本発光以前に発光するプリ発光手段を有し、前記測光手段が、被写体の定常光を測光する定常光測光手段、プリ発光時の反射光を測光するプリ発光測光手段を有し、前記定常光測光手段により得られた被写体輝度と、前記プリ発光測光手段により得られた被写体輝度とを比較する被写体輝度比較手段を有する事を特徴とする撮像装置。
【請求項３】
請求項１に記載の撮像装置において、前記測距手段により、前記ストロボ発光手段のストロボ到達距離を判断するストロボ到達距離判断手段を有する事を特徴とする撮像装置。
【請求項４】
前記被写体輝度比較手段において、比較値が所定値以上の場合、前記検出手段を行わないことを特徴とする請求項２に記載の撮像装置。
【請求項５】
前記被写体輝度比較手段において、比較値が所定値以下の場合、前記ストロボ到達距離判断手段を実行することを特徴とする請求項２に記載の撮像装置。
【請求項６】
請求項５に記載の撮像装置において、前記ストロボ到達距離判断手段によりストロボ到達範囲外と判断された場合、ストロボの発光量をフル発光とすることを特徴とする撮像装置。
【請求項７】
請求項５に記載の撮像装置において、前記ストロボ到達距離判断手段によりストロボ到達範囲内と判断された場合、前記ストロボ発光部が、撮影者の指等の物体で覆われていると判断し、撮影者に警告する手段を有する事を特徴とする撮像装置。
【発明の詳細な説明】
【技術分野】
【０００１】
本発明は、静止画像や動画像を撮像、記憶、記録、再生する固体撮像装置に関し、特にストロボ制御に関するものである。
【背景技術】
【０００２】
従来、撮像装置は小型化が進み、撮像装置にストロボを内蔵したものが主流となっている。小型化によりストロボ等の配置に制約が生まれ、ホールディング時に指がかかってしまう問題があった。特許文献１では、ストロボ発光窓の近傍にタッチセンサを設け、ストロボの指かかりをタッチセンサにより検出する手段が提案されている。また、特許文献２では、ストロボに指がかかっている際、指に反射した光を検出し、指かかりを検出する手段が提案されている。
【特許文献１】特開平６−１００６４号公報
【特許文献２】特開平１１−３８４８７号公報
【発明の開示】
【発明が解決しようとする課題】
【０００３】
しかし、特許文献１のようなタッチセンサを利用する場合、配置場所が制約され、コストアップにつながってしまう。また、特許文献２のような指の反射を利用する場合、反射光を検出するセンサの位置が制約される問題があった。
【０００４】
本発明は上記従来例に鑑みてなされたものであり、特別なセンサを必要とせず、簡単な構成で、ストロボの指かかり等による撮影失敗を防止する事ができる撮像装置を提供することを目的としている。
【課題を解決するための手段】
【０００５】
本発明は上記目的を達成するために、請求項１記載の発明は、撮像素子から被写体の光学像を取り込む撮像手段と、画像を表示するための画像表示手段と、前記撮像素子の出力信号からの信号を処理し、前記画像表示手段に表示可能な信号に処理する信号処理手段と、前記被写体の輝度を測定する測光手段と、前記被写体との距離情報を測定する測距手段と、ストロボの発光時間を制御するストロボ発光手段と、記録または再生のモードを選択可能なモード選択手段とを備えた撮像装置において、ストロボ発光部が、撮影者の指等の物体で覆われているかを検出する検出手段を有する事を特徴とする。
【０００６】
上記目的を達成するために、請求項２記載の発明は、請求項１に記載の撮像装置において、前記ストロボ発光手段が、撮影時のストロボ本発光以前に発光するプリ発光手段を有し、前記測光手段が、被写体の定常光を測光する定常光測光手段、プリ発光時の反射光を測光するプリ発光測光手段を有し、前記定常光測光手段により得られた被写体輝度と、前記プリ発光測光手段により得られた被写体輝度とを比較する被写体輝度比較手段を有する事を特徴とする。
【０００７】
上記目的を達成するために、請求項３記載の発明は、請求項１に記載の撮像装置において、前記測距手段により、前記ストロボ発光手段のストロボ到達距離を判断するストロボ到達距離判断手段を有する事を特徴とする。
【０００８】
上記目的を達成するために、請求項４記載の発明は、前記被写体輝度比較手段において、比較値が所定値以上の場合、前記検出手段を行わないことを特徴とする。
【０００９】
上記目的を達成するために、請求項５記載の発明は、前記被写体輝度比較手段において、比較値が所定値以下の場合、前記ストロボ到達距離判断手段を実行することを特徴とする。
【００１０】
上記目的を達成するために、請求項６記載の発明は、請求項５に記載の撮像装置において、前記ストロボ到達距離判断手段によりストロボ到達範囲外と判断された場合、ストロボの発光量をフル発光とすることを特徴とする。
【００１１】
上記目的を達成するために、請求項７記載の発明は、請求項５に記載の撮像装置において、前記ストロボ到達距離判断手段によりストロボ到達範囲内と判断された場合、前記ストロボ発光部が、撮影者の指等の物体で覆われていると判断し、撮影者に警告する手段を有する事を特徴とする。
【発明の効果】
【００１２】
本発明によれば、撮像装置に配置されたストロボが撮影者の指等で覆われているかを判断し、警告する事で、撮影失敗を防止することが可能となる。
【発明を実施するための最良の形態】
【００１３】
以下、図面を参照して本発明の実施例を説明する。
【実施例】
【００１４】
図１は本発明の実施例における撮像システム及び表示装置の外観の一例を示す図である。図１において１はデジタルカメラ、２は本体部、１０は撮影レンズ、４８はストロボ発光部、５４はモード表示用ＬＣＤ、６２はレリーズスイッチ、７２は録画・再生・パソコンとの通信用等のモード切り替えスイッチ、１０４は光学ファインダである。
【００１５】
＜撮像システムの構成説明＞
図２は本発明の実施例の構成を示す図である。
【００１６】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１７】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１８】
２０は画像処理回路であり、Ａ／Ｄ変換器１６からのデータ或いはメモリ制御回路２２からのデータに対して所定の画素補間処理や色変換処理を行う。
【００１９】
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（ストロボプリ発光）処理を行っている。
【００２０】
さらに、画像処理回路２０においては、撮像した画像データを用いて所定の演算処理を行い、得られた演算結果に基づいてＴＴＬ方式のＡＷＢ（オートホワイトバランス）処理も行っている。
【００２１】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２２】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２３】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
【００２４】
画像表示部２８を用いて撮像した画像データを逐次表示すれば、電子ファインダ機能を実現することが可能である。
【００２５】
３０は撮影した静止画像や動画像を格納するためのメモリであり、所定枚数の静止画像や所定時間の動画像を格納するのに十分な記憶量を備えている。
【００２６】
これにより、複数枚の静止画像を連続して撮影する連写撮影やパノラマ撮影の場合にも、高速かつ大量の画像書き込みをメモリ３０に対して行うことが可能となる。
【００２７】
また、メモリ３０はシステム制御回路５０の作業領域としても使用することが可能である。
【００２８】
３２は適応離散コサイン変換（ＡＤＣＴ）、ウェーブレット変換等により画像データを圧縮伸長する圧縮・伸長回路であり、メモリ３０に格納された画像を読み込んで圧縮処理或いは伸長処理を行い、処理を終えたデータをメモリ３０に書き込む。
【００２９】
４０は絞り機能を備えるシャッター１２を制御する露光制御手段であり、ストロボ４８と連携することによりストロボ調光機能も有するものである。
【００３０】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００３１】
４８はストロボであり、ＡＦ補助光の投光機能、ストロボ調光機能も有する。
【００３２】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００３３】
５０は撮像装置１００全体を制御するシステム制御回路、５２はシステム制御回路５０の動作用の定数、変数、プログラム等を記憶するメモリである。
【００３４】
５４はシステム制御回路５０でのプログラムの実行に応じて、文字、画像、音声等を用いて動作状態やメッセージ等を表示する液晶表示装置、スピーカー等の表示部であり、撮像装置１００の操作部近辺の視認し易い位置に単数或いは複数個所設置され、例えばＬＣＤやＬＥＤ、発音素子等の組み合わせにより構成されている。
【００３５】
また、表示部５４は、その一部の機能が光学ファインダ１０４内に設置されている。
【００３６】
表示部５４の表示内容のうち、ＬＣＤ等に表示するものとしては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、ストロボ表示、赤目緩和表示、マクロ撮影表示、ブザー設定表示、時計用電池残量表示、電池残量表示、エラー表示、複数桁の数字による情報表示、記録媒体２００の着脱状態表示、通信Ｉ／Ｆ動作表示、日付・時刻表示、外部コンピュータとの接続状態を示す表示、等がある。
【００３７】
また、表示部５４の表示内容のうち、光学ファインダ１０４内に表示するものとしては、例えば、合焦表示、撮影準備完了表示、手振れ警告表示、ストロボ充電表示、ストロボ充電完了表示、シャッタースピード表示、絞り値表示、露出補正表示、記録媒体書き込み動作表示、等がある。
【００３８】
さらに、表示部５４の表示内容のうち、ＬＥＤ等に表示するものとしては、例えば、合焦表示、撮影準備完了表示、手振れ警告表示、手振れ警告表示、ストロボ充電表示、ストロボ充電完了表示、記録媒体書き込み動作表示、マクロ撮影設定通知表示、二次電池充電状態表示、等がある。
【００３９】
そして、表示部５４の表示内容のうち、ランプ等に表示するものとしては、例えば、セルフタイマー通知ランプ、等がある。このセルフタイマー通知ランプは、ＡＦ補助光と共用して用いても良い。
【００４０】
５６は電気的に消去・記録可能な不揮発性メモリであり、例えばＥＥＰＲＯＭ、フラッシュメモリ等が用いられる。
【００４１】
６０、６２、６４、７０及び７２は、システム制御回路５０の各種の動作指示を入力するための操作手段であり、スイッチやダイアル、タッチパネル、視線検知によるポインティング、音声認識装置等の単数或いは複数の組み合わせで構成される。
【００４２】
ここで、これらの操作手段の具体的な説明を行う。
【００４３】
６０は電源スイッチ（メインスイッチ）で、画像処理装置１００の電源オン、電源オフの各モードを切り替え設定することが出来る。また、画像処理装置１００に接続された各種付属装置の電源オン、電源オフの設定も合わせて切り替え設定することが出来る。
【００４４】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（ストロボプリ発光）処理等の動作開始を指示する。
【００４５】
６４はシャッタースイッチＳＷ２で、不図示のシャッターボタンの操作完了でＯＮとなり、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００に画像データを書き込む記録処理という一連の処理の動作開始を指示する。
【００４６】
７０は各種ボタンやタッチパネル等からなる操作部で、メニューボタン、セットボタン、マクロボタン、マルチ画面再生改ページボタン、ストロボ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、画像表示ＯＮ／ＯＦＦボタン、圧縮モードスイッチ、撮影直後に撮影した画像データを画像表示部２８を用いて自動再生表示するクイックレビュー機能を設定するクイックレビュースイッチ、撮影及び或いは再生を実行する際に各種機能の選択及び切り替えを設定する選択／切り替えスイッチ、撮影及び或いは再生を実行する際に各種機能の決定及び実行を設定する決定／実行スイッチ等がある。
【００４７】
なお、圧縮モードスイッチにおいては、ＪＰＥＧ（Ｊｏｉｎｔ  Ｐｈｏｔｏｇｒａｐｈｉｃ  Ｅｘｐｅｒｔ  Ｇｐｏｕｐ）圧縮の圧縮率を選択するため、或いは撮像素子の信号をそのままディジタル化して記録媒体に記録するＣＣＤＲＡＷモードを選択するためのスイッチである。
【００４８】
ＪＰＥＧ圧縮のモードは、例えばノーマルモードとファインモードが用意されている。
【００４９】
撮像装置１００の利用者は、撮影した画像のデータサイズを重視する場合はノーマルモードを、撮影した画像の画質を重視する場合はファインモードを、それぞれ選択して撮影を行うことが出来る。
【００５０】
ＪＰＥＧ圧縮のモードに於いては、撮像素子１４から読み出されてＡ／Ｄ変換器１６、画像処理回路２０、メモリ制御回路２２を介して、メモリ３０に書き込まれた画像データを読み出し、圧縮・伸長回路３２により設定した圧縮率に圧縮し、記録媒体２００に記録を行う。
【００５１】
ＣＣＤＲＡＷモードでは、撮像素子１４の色フィルタの画素配列に応じて、ライン毎にそのまま画像データを読み出して、Ａ／Ｄ変換器１６、メモリ制御回路２２を介して、メモリ３０に書き込まれた画像データを読み出し、記録媒体２００に記録を行う。
【００５２】
７２はモードダイアルスイッチで、自動撮影モード、撮影モード、パノラマ撮影モード、再生モード、マルチ画面再生・消去モード、ＰＣ接続モード等の各機能モードを切り替え設定することが出来る。
【００５３】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００５４】
８２はコネクタ、８４はコネクタ、８６はアルカリ電池やリチウム電池等の一次電池やＮｉＣｄ電池やＮｉＭＨ電池、Ｌｉ−ｉｏｎ電池等の二次電池、ＡＣアダプター等からなる電源手段である。
【００５５】
９０はメモリカードやハードディスク等の記録媒体とのインタフェース、９２はメモリカードやハードディスク等の記録媒体と接続を行うコネクタである。
【００５６】
１０２は、撮像装置１００のレンズ１０を含む撮像部を覆う事により、撮像部の汚れや破損を防止するバリアである保護手段である。
【００５７】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、ストロボ充電表示、シャッタースピード表示、絞り値表示、露出補正表示などが設置されている。
【００５８】
２００はメモリカードやハードディスク等の記録媒体である。
【００５９】
記録媒体２００は、半導体メモリや磁気ディスク等から構成される記録部２０２、撮像装置１００とのインタフェース２０４、撮像装置１００と接続を行うコネクタ２０６を備えている。
【００６０】
なお、記録媒体２００は本実施例では撮像装置１００に内蔵される構成として説明している。
【００６１】
＜撮像装置１００の動作説明＞
図３は本実施例における撮像装置１００の主ルーチンのフローチャートを示す。
【００６２】
電池交換等の電源投入により、システム制御回路５０はフラグや制御変数等を初期化すると共に、撮像装置１００各部の初期化処理を行う（Ｓ１０１）。
【００６３】
システム制御回路５０は、電源スイッチ６０の設定位置を判断し、電源スイッチ６０が電源ＯＦＦに設定されていたならば（Ｓ１０２）、各表示部の表示を終了状態に変更し、フラグや制御変数等を含む必要なパラメータや設定値、設定モードを不揮発性メモリ５６に記録し、電源制御手段８０により画像表示部２８を含む撮像装置１００各部の不要な電源を遮断する等の所定の終了処理を行った後（Ｓ１０３）、Ｓ１０２に戻る。
【００６４】
電源スイッチ６０が電源ＯＮに設定されていたならば（Ｓ１０２）、Ｓ１０４に進む。
【００６５】
システム制御回路５０は、電源制御手段８０により電池等により構成される電源８６の残容量や動作情況が撮像装置１００の動作に問題があるか否かを判断し（Ｓ１０４）、問題があるならば表示部５４及び或いは画像表示部２８を用いて画像や音声により所定の警告表示を行った後に（Ｓ１０５）、Ｓ１０２に戻る。
【００６６】
電源８６に問題が無いならば（Ｓ１０４）、Ｓ１０６に進む。
【００６７】
システム制御回路５０は、表示部５４を用いて画像や音声により撮像装置１００の各種設定状態の表示を行う。なお、画像表示部２８の画像表示がＯＮであったならば、画像表示部２８も用いて画像や音声により撮像装置１００の各種設定状態の表示を行う（Ｓ１０６）。
【００６８】
システム制御回路５０は、モードダイアル７２の設定位置を判断し、モードダイアル７２が撮影モードに設定されていなかったならば（Ｓ１０７）、Ｓ１０９に進む。
【００６９】
モードダイアル７２が撮影モードに設定されていたならば（Ｓ１０７）、システム制御回路５０は、撮影モード処理を実行し（Ｓ１０８）、処理を終えたならばＳ１０２に戻る。
【００７０】
この撮影モード処理（Ｓ１０８）の詳細は図４を用いて後述する。
【００７１】
システム制御回路５０は、モードダイアル７２の設定位置を判断し、モードダイアル７２が再生モードに設定されていなかったならば（Ｓ１０９）、Ｓ１０２に戻る。
【００７２】
モードダイアル７２が再生モードに設定されていたならば（Ｓ１０９）、再生モード処理を実行し（Ｓ１１０）、処理を終えたならばＳ１０２に戻る。
【００７３】
上記のように、撮像装置１００の利用者は、撮像装置１００を携帯して撮影、再生を随時行うことが可能である。
【００７４】
図４は、図３のＳ１０８における撮影モード処理の詳細なフローチャートを示す。
【００７５】
システム制御回路５０は、操作部７０が備える各種スイッチの操作により、ユーザーによって撮影に関する各種設定の変更が行われたならば（Ｓ２０１）、変更された内容に応じて、撮影に関する動作設定を変更する（Ｓ２０２）。
【００７６】
システム制御回路５０は、シャッタースイッチＳＷ１が押されていないならば（Ｓ２０３）、撮影モード処理ルーチン（Ｓ１０８）を終了する。
【００７７】
シャッタースイッチＳＷ１が押されたならば（Ｓ２０３）、システム制御回路５０は、撮像手段を起動し（Ｓ２０４）、撮像素子１４からの画像信号データを用いて所定の演算処理を行い、得られた演算結果に基づいて測距制御手段に対し測距処理を行ってレンズ１０の焦点を被写体に合わせＡＦ制御を行う（Ｓ２０５）。
【００７８】
システム制御回路５０は、露光制御手段４０を起動して、適正露出にするように絞り手段、シャッター手段を用い、絞り制御値、シャッター制御値、撮像感度値から被写体輝度を算出するＡＥ制御を行う（Ｓ２０６）。次に、システム制御回路５０は、撮像素子１４からの画像信号データを用いて所定の演算処理を行い、得られた演算結果がホワイトバランスとして適正と判断されるまで画像処理回路２０を用いて、ＡＷＢ（オートホワイトバランス）制御を行う（Ｓ２０７）。
【００７９】
次に、６４のシャッタースイッチＳＷ２が押されたら（Ｓ２０８）、システム制御回路５０は、露光制御手段４０を起動して、適正に調光できるようにＥＦ制御（Ｓ２０９）を行う。
【００８０】
次に、記録する画像を撮影するための本露光を行う（Ｓ２１０）。
【００８１】
そして、インタフェース９０或いは９４、コネクタ９２を介して、メモリカードやコンパクトフラッシュ（登録商標）カード等の記録媒体２００への画像データ書き込みを行う（Ｓ２１１）。６４のシャッタースイッチＳＷ２が押されない場合、ＳＷ２が押されるまで待機する。
【００８２】
続いて、図５にＥＦ制御（Ｓ２０９）についてのフローチャートを示す。
【００８３】
システム制御回路５０は、Ｓ２０５で得られて距離情報をもとに測光１、測光２のための露光条件を（１）の条件式で絞り値を、（２）式でゲインを、さらに（３）式と図示しないプログラム線図からシャッタースピードを求める（Ｓ３０１）。演算後、絞り、ゲイン、シャッタースピードをそれぞれ設定する（Ｓ３０２）。
【００８４】
Ｌ≧Ａ１  の時  Ａｖ＝３
Ｌ＜Ａ１  の時  Ａｖ＝６・・・（１）
Ａｖ：絞り値
Ｌ  ：距離情報
Ａ１：所定値
Ｇｎ＝２＊Ｌｏｇ２（Ｌ／Ｄ）＋Ｙ・・・（２）
Ｇｎ  ：ゲイン値
Ｌ    ：距離情報
Ｄ，Ｙ：所定値
Ｔｖ＝Ｅｖ＋Ｇｎ−Ａｖ・・・（３）
Ｔｖ：シャッタースピード
Ｅｖ：輝度知
Ｇｎ：ゲイン値
Ａｖ：絞り値
【００８５】
ここにおける絞り、ゲインの制御は、Ｓ３０４のＰｒｅ発光が常に一定の光量で発光した場合に、被写体との距離や反射率により変化する反射光が撮像素子１４へ最適な光量で入射できるように制御している。絞り値は（１）の条件式で求められ、距離情報からの値が所定値以上の場合は絞りを開放に、所定値より小さい場合は小絞りを選択する。
【００８６】
また、ゲインの値は（２）式で表すことができ、絞りの開放と小絞りの３段の差を補完するように制御する。（１）および（２）式で示すＡ、Ｄ、Ｙは所定値であり、Ｐｒｅ発光の発光量が一定であれば変える必要はないが、被写体からの反射光が撮像素子１４へより適切な光量で入射するためにモードにより絞り選択の所定値Ａやゲイン制御量Ｄ，Ｙを切り替えても良い。
【００８７】
例えば、至近距離で撮影するマクロモード、反射率の高い紙などを撮影する書類モード、逆光時に強制的に発光する日昼モード、コントラストで表現する白黒モードなどを設けて切り替えても良い。無論、各モードを組み合わせて更に細かいモードを設定して切り替えても良い。
【００８８】
これによってＰｒｅ発光による測光結果が精度良く行うことが可能となる。例えば、比較的暗い状況の場合、Ｓ２０６による測光結果により設定される絞りは開放状態にある。この開放状態で被写体が近距離にあるときに、Ｐｒｅ発光を行った場合、撮像素子１４にはダイナミックレンジをオーバーするような反射光が返ってくることがある。
【００８９】
しかしながら、Ｓ２０５の距離情報により絞りを小絞りとし、絞りで光量を制限しすぎた分をゲインで補うことにより適度な光量を撮像素子１４に入射させることが可能となり、正確な測光結果を得ることができる。またシャッタースピードの制御は、ＡｖとＧｎが決定した後に（３）式と図示しないプログラム線図から求めた値とする。
【００９０】
その後、測光１を行い定常光の値を記憶しておく（Ｓ３０３）。更にＰｒｅ発光を（Ｓ３０４）、続いて測光２を行う（Ｓ３０５）。ここにおける測光の測光枠は、図７−（ａ）に示すような撮影画面を８＊８に区切った６４個の測光エリアから成る。
【００９１】
但し、この測光枠はｍ＊ｎの任意の数に（ｍａｘ８）設定でき、また図７−（ｂ）のように撮影画面の任意の位置に設定することも可能である。測光１および測光２で取り込まれた定常光と被写体からのストロボ反射光は、撮像素子１４を通り撮像処理＆Ａ／Ｄ変換部１６及び画像処理部２０の処理を行ったデータ信号をもとにシステム制御５０で演算し、各測光枠の測光値を得る。
【００９２】
測光１（Ｓ３０３）、測光２（Ｓ３０５）の情報をもとに、システム制御部５０は指かかり検出シーケンスを実行する（Ｓ３０６）。
【００９３】
システム制御回路５０は、本発光時間を演算した後（Ｓ３０７）、露光制御手段４０を起動し、絞り機能を備えるシャッター１２を制御して絞り制御（Ｓ３０８）、シャッター制御（Ｓ３０９）を行う。
【００９４】
次に、図６に指かかり検出についてのフローチャートを示す。
【００９５】
システム制御回路５０は、Ｓ３０３で得られた定常光測光値（測光１）とＳ３０５で得られたＰｒｅ発光測光値（測光２）を比較し、図７−（ａ）、（ｂ）に示す測光枠内の値が所定値以上であればストロボが指にかかっていないと判断し、指かかり検出を終了する（Ｓ６０１）。所定値以下と判断すれば（Ｓ６０１）、Ｓ６０２に進む。ここで、Ｓ６０１における比較式は、以下の式を用いる。
【００９６】
Ｒ＝（Ｐ２−Ｐ１）／Ｐ１
ただし、Ｐ１、Ｐ２は、測光領域を８×８分割した領域における、Ｐ１：定常光測光値（測光１）、Ｐ２：Ｐｒｅ発光測光値（測光２）である（図８）。ここで、測光領域は８×８分割以外でも問題ないものとする。
【００９７】
次に、システム制御回路５０は、Ｓ３０１で得られたＡＦでの距離情報を用い、ストロボ到達範囲外であればＳ６０４に進み、ストロボの発光をフル発光とし（Ｓ６０４）、指かかり検出を終了する。ストロボ到達範囲内であれば、指かかりによりＲが所定値以下となっていると判断し、指かかりを警告する（Ｓ６０３）。指かかりの警告は、表示部５４及び或いは画像表示部２８を用いて画像や音声により所定の警告表示を行い、撮影者に指かかりを認識させる。
【図面の簡単な説明】
【００９８】
【図１】本発明の撮像システムの外観図
【図２】本発明の撮像装置の構成ブロック図
【図３】本実施例における撮像装置の主ルーチンのフローチャート
【図４】本実施例における撮像装置の撮影モード処理ルーチンのフローチャート
【図５】本実施例における撮像装置のストロボシーケンスのフローチャート
【図６】本実施例における撮像装置の指かかり検出のフローチャート
【図７】本実施例における撮像装置の測光エリア図
【図８】本実施例における撮像装置の測光エリア図の測光値
【符号の説明】
【００９９】
１      デジタルカメラ
２      本体部
１０    撮影レンズ
１２    シャッター
１４    撮像素子
１６    Ａ／Ｄ変換器
１８    タイミング発生回路
２０    画像処理回路
２２    メモリ制御回路
２４    画像表示メモリ
２６    Ｄ／Ａ変換器
２８    画像表示部
３０    メモリ
３２    画像圧縮・伸長回路
４０    露光制御手段
４２    測距制御手段
４４    ズーム制御手段
４６    バリア制御手段
４８    ストロボ
５０    システム制御回路
５２    メモリ
５４    表示部
５６    不揮発性メモリ
６０    電源スイッチ（メインスイッチ）
６２    シャッタースイッチＳＷ１
６４    シャッタースイッチＳＷ２
７０    操作部
７２    モードダイアルスイッチ
８０    電源制御手段
８２    コネクタ
８４    コネクタ
８６    電源手段
９０    インタフェース
９２    コネクタ
１００  撮像装置
１０２  保護手段
１０４  光学ファインダ
２００  記録媒体
２０２  記録部
２０４  インタフェース
２０６  コネクタ
【図１】
2006157405.tif 000003
【図２】
2006157405.tif 000004
【図３】
2006157405.tif 000005
【図４】
2006157405.tif 000006
【図５】
2006157405.tif 000007
【図６】
2006157405.tif 000008
【図７】
2006157405.tif 000009
【図８】
2006157405.tif 000010